【手続補正書】
【提出日】平成17年2月1日(2005.2.1)
【手続補正１】
【補正対象書類名】明細書
【補正対象項目名】全文
【補正方法】変更
【補正の内容】
【書類名】  明細書
【発明の名称】  電気掃除機
【特許請求の範囲】
【請求項１】  電動送風機を内蔵した本体と、塵埃通路を有するとともにグリップ部を一体的に延設した手元ハンドルと、一端が前記本体に接続され他端が前記手元ハンドルに接続されたホ−スと、前記手元ハンドルの下部に一体的に形成されたスキマノズル保持用の係止部Ａ及び係止部Ｂを備え、前記係止部Ａ及び係止部Ｂとで前記スキマノズルを保持するようにした電気掃除機。
【請求項２】  電動送風機を内蔵した本体と、前記電動送風機の運転を制御する制御回路と、前記制御回路を内蔵するとともに塵埃通路を有する手元ハンドルと、一端が本体に接続され他端が前記手元ハンドルに接続されたホ−スと、前記手元ハンドルの突出カバ−部後方の下部に一体的に形成されたスキマノズル保持用係止部Ａ及び係止部Ｂと、前記係止部Ａまたは係止部Ｂに係合する係合部を備えた保持具とを備え、前記保持具に嵌合部を設け、前記嵌合部に吸込具等の補助具を嵌合自在とした電気掃除機。
【請求項３】  係止部を凹状に、係合部を凸状にそれぞれ形成した請求項２記載の電気掃除機。
【請求項４】  嵌合部の嵌合寸法を補助具の取り付け部の寸法より小さくした請求項２または３記載の電気掃除機。
【請求項５】  保持具に複数の嵌合部を設けた請求項２〜４のいずれか１項記載の電気掃除機。
【発明の詳細な説明】
【０００１】
【発明の属する技術分野】
本発明は、一般家庭で使用される電気掃除機に関するものである。
【０００２】
【従来の技術】
従来の電気掃除機は、図９に示すように掃除機本体２１にスキマノズルやタナノズル等の補助ノズル２２を収納している。又特公平５−５０９３３号に記載のように延長管に取り付けた保持具に取り付けるものや、特開平９−４７３９３号に記載のように手元ハンドルに設けた係止部にスキマノズルに設けた開口係止部を係合させるもの、又図１０に示すように手元ハンドル２３の先端部に設けたカバ−部材の突出部２４に保持具２５を用いて補助ノズル２２を取りつけるものなどが知られている。これら従来のものはスキマノズルやタナノズル等の補助ノズル２２を使用する時掃除機本体又は延長管の先及び手元ハンドルから取り外して手元ハンドル又は延長管に取り付けて使用する。
【０００３】
【発明が解決しようとする課題】
しかしながら、この従来技術においては、掃除場所に応じて床ノズルからスキマノズルやタナノズルに交換して掃除をする時、本体２１に補助ノズル２２を収納するものや、特公平５−５０９３３号に記載のものは補助ノズルが取りにくい等使用勝手が悪い。又特開平９−４７３９３号に記載のものは補助ノズルに開口係止部を設けるため毛ブラシを用いたタナノズルには開口係止部の設定が困難であり又開口部よりのエア−漏れ等の課題を有している。又手元ハンドル２３の先端部に設けたカバ−部材の突出部２４に保持具２５を用いて補助ノズル２２を取りつけるものにおいては、使用中に補助ノズル２２が前後に移動して脱落したり、又補助ノズル２２が手元ハンドル２３より大きく突出して保持されるため操作中に体に当たり脱落しやすい等の課題を有している。
【０００４】
本発明は以上のような従来の課題を解決しようとするものであって、簡単な構造で容易にスキマノズルやタナノズル等を着脱できる操作性の良い電気掃除機を提供することを目的としている。
【０００５】
【課題を解決するための手段】
上記目的を達成するために本発明は、手元ハンドルの下部に一体的に形成されたスキマノズル保持用の係止部Ａ及び係止部Ｂを備え、前記係止部Ａ及び係止部Ｂとで前記スキマノズルを保持するようにしたものである。また、手元ハンドルの下部に係止部を一体に構成し、係合部と嵌合部を有する保持具を前記係止部に係止するとともに、タナノズルやスキマノズル等を前記保持具の嵌合部に係合させ着脱自在に装着できるようにしたので、ノズルの交換を容易にするものである。
【０００６】
【発明の実施の形態】
本発明の請求項１記載の発明は、電動送風機を内蔵した本体と、塵埃通路を有するとともにグリップ部を一体的に延設した手元ハンドルと、一端が前記本体に接続され他端が前記手元ハンドルに接続されたホ−スと、前記手元ハンドルの下部に一体的に形成されたスキマノズル保持用の係止部Ａ及び係止部Ｂを備え、前記係止部Ａ及び係止部Ｂとで前記スキマノズルを保持するようにしたもので、着脱操作が容易におこなえるものであるとともに、手元ハンドルの下部に収納するため、体に触れにくく、手元ハンドルの前後の移動規制が行えて脱落防止が出来るものである。
【０００７】
本発明の請求項２記載の発明は、
電動送風機を内蔵した本体と、前記電動送風機の運転を制御する制御回路と、前記制御回路を内蔵するとともに塵埃通路を有する手元ハンドルと、一端が本体に接続され他端が前記手元ハンドルに接続されたホ−スと、前記手元ハンドルの突出カバ−部後方の下部に一体的に形成されたスキマノズル保持用係止部Ａ及び係止部Ｂと、前記係止部Ａまたは係止部Ｂに係合する係合部を備えた保持具とを備え、前記保持具に嵌合部を設け、前記嵌合部に吸込具等の補助具を嵌合自在としたもので、着脱操作が容易におこなえるものであるとともに、手元ハンドルの下部に収納するため体に触れにくく、突出カバー部と係止部Ｂの間に収納するため前後の移動規制が行えて脱落防止が出来るものである。
【０００８】
本発明の請求項３記載の発明は、係止部を凹状に、係合部を凸状にそれぞれ形成したもので、凹凸の係合により補助ノズルの着脱時における保持具の固定を確実にするものである。
【０００９】
本発明の請求項４記載の発明は、嵌合部の嵌合寸法を補助具の取り付け部の寸法より小さくしたことにより、補助ノズル装着時に保持具の係合部及び嵌合部が圧接され保持具及び補助ノズルの保持力が確保される。
【００１０】
本発明の請求項５記載の発明は、保持具に複数の嵌合部を設けたことにより、タナノズル及びスキマノズル等複数の補助ノズルを装着保持できる。
【００１１】
【実施例】
（実施例１）
以下本発明の第１の実施例を、図１〜図４を用いて説明する。
【００１２】
図２に示すように一端が電気掃除機の本体１に接続されたホ−ス２の他端に電気掃除機の運転をコントロ−ルする制御回路を内蔵した手元ハンドル３を設け、床ノズル４と手元ハンドル３をつなぐ延長管５を有する構成において、図３に示すように前記手元ハンドル３は、前方に前記制御回路部品のカバ−６を有し、延長管５とホ−ス２の間に湾曲部７からなる塵埃通路を有し、その上部に制御回路を内蔵し、グリップ８部を一体に構成し、前記湾曲部７の下部に一対のスキマノズル１１保持用係止部Ａ９及び係止部Ｂ１０を一体に構成し、前記係止部Ａ９及び係止部Ｂ１０にスキマノズル１１を保持する構成としており、図１に示すように係合部１２と嵌合部１３を有した保持具１４を前記係止部Ａ９に係止し、前記嵌合部１３にタナノズル１５を着脱自在に装着している。又図４に示すようにスキマノズル１１の保持及び着脱も同様に行えるものである。
【００１３】
上記構成による作用は以下の通りである。
【００１４】
手元ハンドル３に設けた係止部Ａ９に保持具１４を取付けタナノズル１５を手元ハンドル３の湾曲部７の下部及びカバ−６と係止部Ｂ１０の間に装着しているため、タナノズル１５は、手元ハンドル３と密着しており又カバ−６と係止部Ｂ１０により位置規制が行えて掃除途中におけるタナノズル１５の脱落防止とタナノズル１５への交換が容易におこなえる。
【００１５】
（実施例２）
次に本発明の第２の実施例を、図５〜図６を用いて説明する。なお上記第１の実施例と同一構成部品については同一符号を付して、その説明を省略する。
【００１６】
保持具１４の取り付けにおいて、係合部１２の一部に凸部１６を構成するとともに前記凸部１６に係合する凹部１７を手元ハンドル３の係止部Ａ９に構成し、前記凸部１６と凹部１７を嵌合し係止している。
【００１７】
上記構成による作用は以下の通りである。
【００１８】
保持具１４は、凸部１６と凹部１７を嵌合し係止しているため、タナノズル１５の着脱時に保持具１４が移動することが無く、又タナノズル１５の装着時における使用にたいしても保持具１４及びタナノズル１５の脱落を防止するものである。
【００１９】
（実施例３）
次に本発明の第３の実施例を、図７を用いて説明する。なお上記第１の実施例と同一構成部品については同一符号を付して、その説明を省略する。
【００２０】
保持具１４において、タナノズル１５の嵌合部１３の内径寸法（Ａ）をタナノズル１５取付け取部外形寸法（Ｂ）より小さく設定している。
【００２１】
上記構成による作用は以下の通りである。
【００２２】
保持具１４にタナノズル１５を装着すると嵌合部１３が、押し広げられる。その反作用として係合部１２が圧接され、保持具１４及びタナノズル１５の保持強度が向上する。
【００２３】
（実施例４）
次に本発明の第４の実施例を、図８を用いて説明する。なお上記第１の実施例と同一構成部品については同一符号を付して、その説明を省略する。
【００２４】
保持具１４において、タナノズル１５の嵌合部１３を複数設けている。
【００２５】
上記構成による作用は以下の通りである。
【００２６】
スキマノズル１１及びタナノズル１５等複数の補助ノズルを装着保持でき、掃除場所に応じたノズル交換が容易にでき使用性が向上する。
【００２７】
【発明の効果】
本発明の請求項１、２記載の発明によれば、手元ハンドルの下部にタナノズル及びスキマノズル等の補助ノズルが装着されているため、ノズルの交換が容易に行えるものである。
【００２８】
本発明の請求項３、４記載の発明によれば、保持具の凸部により、保持具の移動防止が、又補助ノズルの取付けにより保持具及び補助ノズルの保持力が向上するものである。
【００２９】
本発明の請求項５記載の発明によれば、複数の補助ノズルが装着でき使用性が向上するものである。
【図面の簡単な説明】
【図１】
本発明の第１の実施例を示す電気掃除機の要部概略図
【図２】
同電気掃除機の全体図
【図３】
同電気掃除機の要部概略図
【図４】
同電気掃除機の要部概略図
【図５】
本発明の第２の実施例を示す電気掃除機の要部断面図
【図６】
同電気掃除機の要部断面図
【図７】
（ａ）本発明の第３の実施例を示す電気掃除機の要部断面図
（ｂ）同電気掃除機の要部概略図
【図８】
本発明の第４の実施例を示す電気掃除機の要部断面図
【図９】
従来の電気掃除機の斜視図
【図１０】
従来の電気掃除機の要部概略図
【符号の説明】
１  本体
２  ホ−ス
３  手元ハンドル
４  床ノズル
５  延長管
６  カバ−
７  湾曲部
８  グリップ
９  係止部Ａ
１０  係止部Ｂ
１１  スキマノズル
１２  係合部
１３  嵌合部
１４  保持具
１５  タナノズル
１６  凸部
１７  凹部